(57)【要約】【課題】  ヘッドフォン／マイク端子を用いた電子機器間の接続により、ステータスに関する制御を行うことができる制御システムを実現する。【解決手段】  実施形態によれば、制御システムは、第１電子機器と、当該第１電子機器とオーディオケーブルを介して接続される第２電子機器とで構成される。前記第１電子機器は、当該第１電子機器の状態を示すステータス情報が符号化された第１音データを生成し、前記オーディオケーブルを介して、前記第１音データを前記第２電子機器に送信するように構成される。前記第２電子機器は、前記オーディオケーブルを介して、前記第１電子機器から前記第１音データを受信し、前記第１音データを復号することにより、前記ステータス情報を取得し、前記ステータス情報を画面に表示するように構成される。【選択図】図１
2019133384.tif 000002
【特許請求の範囲】
【請求項１】
第１電子機器と、当該第１電子機器とオーディオケーブルを介して接続される第２電子機器とで構成される制御システムであって、
前記第１電子機器は、
当該第１電子機器の状態を示すステータス情報が符号化された第１音データを生成し、
前記オーディオケーブルを介して、前記第１音データを前記第２電子機器に送信するように構成され、
前記第２電子機器は、
前記オーディオケーブルを介して、前記第１電子機器から前記第１音データを受信し、
前記第１音データを復号することにより、前記ステータス情報を取得し、
前記ステータス情報を画面に表示するように構成される制御システム。
【請求項２】
前記第１音データは、前記ステータス情報と第１ワンタイムパスワードとが符号化されたデータであり、
前記第２電子機器は、さらに、
前記第１音データを復号することにより、前記ステータス情報と前記第１ワンタイムパスワードとを取得し、
第２ワンタイムパスワードを生成し、前記第１ワンタイムパスワードと前記第２ワンタイムパスワードとが一致した場合に、前記ステータス情報を画面に表示するように構成される請求項１記載の制御システム。
【請求項３】
前記第２電子機器は、前記第１電子機器と前記第２電子機器との間で共有される秘密鍵を用いて、前記第２ワンタイムパスワードを生成するように構成され、
前記第１ワンタイムパスワードが前記秘密鍵を用いて生成されている場合、前記第１ワンタイムパスワードと前記第２ワンタイムパスワードとが一致する請求項２記載の制御システム。
【請求項４】
前記第１電子機器は、第１ヘッドフォン／マイク端子を具備し、
前記第２電子機器は、第２ヘッドフォン／マイク端子を具備し、
前記オーディオケーブルの一端は、前記第１ヘッドフォン／マイク端子に接続され、前記オーディオケーブルの他端は、前記第２ヘッドフォン／マイク端子に接続される請求項１記載の制御システム。
【請求項５】
前記第１電子機器は、第１ヘッドフォン端子を具備し、
前記第２電子機器は、第２マイク端子を具備し、
前記オーディオケーブルの一端は、前記第１ヘッドフォン端子に接続され、前記オーディオケーブルの他端は、前記第２マイク端子に接続される請求項１記載の制御システム。
【請求項６】
前記第２電子機器は、さらに、
前記ステータス情報の収集を指示するための収集指示情報が符号化された第２音データを生成し、
前記オーディオケーブルを介して、前記第２音データを前記第１電子機器に送信するように構成され、
前記第１電子機器は、さらに、
前記オーディオケーブルを介して、前記第２音データを受信し、
前記第２音データを復号することにより、前記収集指示情報を取得し、
前記収集指示情報の取得に応じて、前記ステータス情報が符号化された前記第１音データを生成するように構成される請求項１記載の制御システム。
【請求項７】
前記第１電子機器は、第１オーディオケーブルを介して第１電話機に接続され、
前記第２電子機器は、第２オーディオケーブルを介して第２電話機に接続され、
前記第１電話機と前記第２電話機とは、電話回線網を介して接続され、
前記第１電子機器は、さらに、
前記第１オーディオケーブルと前記電話回線網と前記第２オーディオケーブルを介して、前記第２電子機器に前記第１音データを送信するように構成され、
前記第２電子機器は、さらに、
前記第１オーディオケーブルと前記電話回線網と前記第２オーディオケーブルを介して、前記第１電子機器から前記第１音データを受信するように構成される請求項１記載の制御システム。
【請求項８】
第１電子機器と、当該第１電子機器とオーディオケーブルを介して接続される第２電子機器とで構成される制御システムであって、
前記第２電子機器は、
前記第１電子機器に設定すべき設定情報が符号化された音データを生成し、
前記オーディオケーブルを介して、前記音データを前記第１電子機器に送信するように構成され、
前記第１電子機器は、
前記オーディオケーブルを介して、前記第２電子機器から前記音データを受信し、
前記音データを復号することにより、前記設定情報を取得し、
前記設定情報を用いて前記第１電子機器の設定を変更するように構成される制御システム。
【請求項９】
前記音データは、前記設定情報と第１ワンタイムパスワードとが符号化されたデータであり、
前記第１電子機器は、さらに、
前記音データを復号することにより、前記設定情報と前記第１ワンタイムパスワードとを取得し、
第２ワンタイムパスワードを生成し、前記第１ワンタイムパスワードと前記第２ワンタイムパスワードとが一致した場合に、前記設定情報を用いて前記第１電子機器の設定を変更するように構成される請求項８記載の制御システム。
【請求項１０】
前記第１電子機器は、前記第１電子機器と前記第２電子機器との間で共有される秘密鍵を用いて、前記第２ワンタイムパスワードを生成するように構成され、
前記第１ワンタイムパスワードが前記秘密鍵を用いて生成されている場合、前記第１ワンタイムパスワードと前記第２ワンタイムパスワードとが一致する請求項９記載の制御システム。
【請求項１１】
前記第１電子機器は、第１ヘッドフォン／マイク端子を具備し、
前記第２電子機器は、第２ヘッドフォン／マイク端子を具備し、
前記オーディオケーブルの一端は、前記第１ヘッドフォン／マイク端子に接続され、前記オーディオケーブルの他端は、前記第２ヘッドフォン／マイク端子に接続される請求項８記載の制御システム。
【請求項１２】
前記第１電子機器は、第１マイク端子を具備し、
前記第２電子機器は、第２ヘッドフォン端子を具備し、
前記オーディオケーブルの一端は、前記第１マイク端子に接続され、前記オーディオケーブルの他端は、前記第２ヘッドフォン端子に接続される請求項８記載の制御システム。
【請求項１３】
前記第１電子機器は、第１オーディオケーブルを介して第１電話機に接続され、
前記第２電子機器は、第２オーディオケーブルを介して第２電話機に接続され、
前記第１電話機と前記第２電話機とは、電話回線網を介して接続され、
前記第２電子機器は、さらに、
前記第２オーディオケーブルと前記電話回線網と前記第１オーディオケーブルを介して、前記第１電子機器に前記音データを送信するように構成され、
前記第１電子機器は、さらに、
前記第２オーディオケーブルと前記電話回線網と前記第１オーディオケーブルを介して、前記第２電子機器から前記音データを受信するように構成される請求項８記載の制御システム。
【請求項１４】
第１電子機器と、当該第１電子機器とオーディオケーブルを介して接続される第２電子機器とで構成されるシステムの制御方法であって、
前記第１電子機器の状態を示すステータス情報が符号化された音データを生成し、
前記オーディオケーブルを介して、前記音データを前記第１電子機器から前記第２電子機器に送信し、
前記音データを復号することにより、前記ステータス情報を取得し、
取得された前記ステータス情報を前記第２電子機器の画面に表示する制御方法。
【請求項１５】
第１電子機器と、当該第１電子機器とオーディオケーブルを介して接続される第２電子機器とで構成されるシステムの制御方法であって、
前記第１電子機器に設定すべき設定情報が符号化された音データを生成し、
前記音データを、前記オーディオケーブルを介して前記第２電子機器から前記第１電子機器に送信し、
前記音データを復号することにより、前記設定情報を取得し、
取得された前記設定情報を用いて前記第１電子機器の設定を変更する制御方法。
【請求項１６】
電子機器であって、
オーディオケーブルを介して外部電子機器に接続する接続部と、
前記電子機器の状態を示すステータス情報が符号化された第１音データを生成する符号化部と、
前記オーディオケーブルを介して、前記第１音データを前記外部電子機器に送信する送信部と、
前記オーディオケーブルを介して、前記外部電子機器から第２音データを受信する受信部と、
前記第２音データを復号することにより、前記電子機器に設定すべき設定情報を取得する復号部と、
前記設定情報を用いて前記電子機器の設定を変更する設定制御部とを具備する電子機器。
【請求項１７】
前記第２音データは、前記設定情報と第１ワンタイムパスワードとが符号化されたデータであり、
前記復号部は、さらに、前記第２音データを復号することにより前記設定情報と前記第１ワンタイムパスワードとを取得し、第２ワンタイムパスワードを生成し、
前記設定制御部は、前記第１ワンタイムパスワードと前記第２ワンタイムパスワードとが一致した場合に、前記設定情報を用いて前記電子機器の設定を変更する請求項１６記載の電子機器。
【請求項１８】
電子機器であって、
オーディオケーブルを介して外部電子機器に接続する接続部と、
前記オーディオケーブルを介して、前記外部電子機器から第１音データを受信する受信部と、
前記第１音データを復号することにより、前記外部電子機器の状態を示すステータス情報を取得する復号部と、
前記ステータス情報を画面に表示する表示制御部と、
前記外部電子機器に設定すべき設定情報が符号化された第２音データを生成する符号化部と、
前記オーディオケーブルを介して、前記第２音データを前記外部電子機器に送信する送信部とを具備する電子機器。
【請求項１９】
前記符号化部は、さらに、第１ワンタイムパスワードを生成し、前記設定情報と前記第１ワンタイムパスワードとが符号化された前記第２音データを生成する請求項１８記載の電子機器。
【発明の詳細な説明】
【技術分野】
【０００１】
本発明の実施形態は、電子機器、制御システム及び制御方法に関する。
【背景技術】
【０００２】
最近、多くのモノがインターネットでつながるＩｏＴ時代となり、オフィス、工場、その他様々な場面において、ネットワークコミュニケーションや情報共有のツールとしてエッジコンピューティングと呼ばれる技術が求められている。このエッジコンピューティングを実現するためにはデータセンター（或いはクラウド）とは別に作業者（ユーザ）がその場で使用可能な、高度の汎用性と処理能力を持つ実用的なモバイルエッジコンピューティングデバイス（ＭＥＣＤ）の開発が必要とされている。これにより、作業現場等での業務効率化や生産性向上、或いは、データの負荷分散やネットワーク環境の改善等を図ることが期待される。
【０００３】
ＭＥＣＤのようなＩｏＴ機器のステータスは、無線ＬＡＮやブルートゥース（登録商標）等の無線ネットワークを介して取得されることが一般的である。ＩｏＴ機器を管理するサーバ等の外部機器は、無線ネットワークを介してＩｏＴ機器のステータスを確認することができる。
【０００４】
また、ＩｏＴ機器において、ＵＳＢ（登録商標）端子にキーボードやポインティングデバイスを接続し、ディスプレイ端子にディスプレイを接続することにより、ユーザはＩｏＴ機器を操作し、例えば、ステータスをディスプレイの画面に表示させることができる。
【先行技術文献】
【特許文献】
【０００５】
【特許文献１】特開２００１−００５５８０号公報
【特許文献２】特開２００１−００５５９４号公報
【発明の概要】
【発明が解決しようとする課題】
【０００６】
しかし、無線ネットワークが利用できない状態又は環境においては、サーバ等の外部機器では、ＩｏＴ機器のステータスを確認することができない。さらに、ＩｏＴ機器内のデータを保護する等のセキュリティを目的として、ＩｏＴ機器に設けられるＵＳＢ端子及びディスプレイ端子の利用が禁止されることがある。この場合、ＩｏＴ機器に接続されたディスプレイ上で、当該ＩｏＴ機器のステータスを確認することもできない。
【０００７】
ところで、マイク、ヘッドフォン、スピーカ等の音声の入出力に用いられる端子は、セキュリティを目的として利用を禁止される可能性が低い。そのため、オーディオケーブルを用いた機器間の接続によりステータスに関する制御を行うことができる新たな機能の実現が必要とされる。
【０００８】
本発明が解決しようとする課題は、オーディオケーブルを用いた電子機器間の接続により、ステータスに関する制御を行うことができる電子機器、制御システム及び制御方法を提供することである。
【課題を解決するための手段】
【０００９】
実施形態によれば、制御システムは、第１電子機器と、当該第１電子機器とオーディオケーブルを介して接続される第２電子機器とで構成される。前記第１電子機器は、当該第１電子機器の状態を示すステータス情報が符号化された第１音データを生成し、前記オーディオケーブルを介して、前記第１音データを前記第２電子機器に送信するように構成される。前記第２電子機器は、前記オーディオケーブルを介して、前記第１電子機器から前記第１音データを受信し、前記第１音データを復号することにより、前記ステータス情報を取得し、前記ステータス情報を画面に表示するように構成される。
【図面の簡単な説明】
【００１０】
【図１】第１実施形態に係る電子機器（モバイルＰＣ）を含む制御システムの構成を説明するための図である。
【図２】図１の制御システムに含まれる表示／設定用ＰＣのシステム構成の例を示すブロック図である。
【図３】第１実施形態に係る電子機器の正面、側面、及び上面の外観の例を示す図である。
【図４】第１実施形態に係る電子機器のシステム構成の例を示すブロック図である。
【図５】図１の制御システムにおいて実行される設定シーケンスの例を示す図である。
【図６】図２の表示／設定用ＰＣの機能構成を示すブロック図である。
【図７】第１実施形態に係る電子機器の機能構成を示すブロック図である。
【図８】図２の表示／設定用ＰＣによって実行される音声制御処理の手順の例を示すフローチャートである。
【図９】第１実施形態に係る電子機器によって実行される音声制御処理の手順の例を示すフローチャートである。
【図１０】第２実施形態に係る電子機器を含む制御システムにおいて実行される設定シーケンスの例を示す図である。
【図１１】図１０の制御システムに含まれる表示／設定用ＰＣによって実行される音声制御処理の手順の例を示すフローチャートである。
【図１２】第２実施形態に係る電子機器によって実行される音声制御処理の手順の例を示すフローチャートである。
【図１３】第３実施形態に係る電子機器を含む制御システムの構成を説明するための図である。
【発明を実施するための形態】
【００１１】
以下、実施の形態について図面を参照して説明する。なお、開示はあくまで一例にすぎず、以下の実施形態に記載した内容により発明が限定されるものではない。当業者が容易に想到し得る変形は、当然に開示の範囲に含まれる。説明をより明確にするため、図面において、各部分のサイズ、形状等を実際の実施態様に対して変更して模式的に表す場合もある。複数の図面において、対応する要素には同じ参照数字を付して、詳細な説明を省略する場合もある。
【００１２】
（第１実施形態）  
［制御システム］  
まず、図１を参照して、一実施形態に係る電子機器を含む制御システム１の構成を説明する。この電子機器は、ユーザが携行可能な電子機器であり、例えば、モバイルエッジコンピューティングデバイス（ＭＥＣＤ）を含むモバイルパーソナルコンピュータ（ＰＣ）や、スマートフォン、携帯電話機、ＰＤＡ等の携帯情報端末として実現され得る。以下では、この電子機器がモバイルＰＣ１６として実現される場合を例示する。
【００１３】
制御システム１は、モバイルＰＣ１６と表示／設定用ＰＣ１２とから構成される。表示／設定用ＰＣ１２は、ディスプレイを備える電子機器であって、例えば、ノートブック型ＰＣ、デスクトップ型ＰＣ、又は各種電子機器に内蔵される組み込みシステムとして実現され得る。表示／設定用ＰＣ１２は、タブレット型ＰＣ、スマートフォン、携帯電話機、ＰＤＡ等の携帯情報端末として実現されてもよい。図１では、表示／設定用ＰＣ１２がノートブック型ＰＣである場合を例示している。
【００１４】
モバイルＰＣ１６と表示／設定用ＰＣ１２とは、オーディオケーブル５を介して接続される。モバイルＰＣ１６と表示／設定用ＰＣ１２とは、オーディオケーブル５を介して、音データを相互に送受信することができる。
【００１５】
表示／設定用ＰＣ１２は、一般に、無線ＬＡＮやブルートゥース等の無線ネットワークを介して、モバイルＰＣ１６の状態を示すステータス情報を取得する。表示／設定用ＰＣ１２は、取得されたステータス情報を、表示／設定用ＰＣ１２に内蔵されるディスプレイの画面に表示する。これにより、ユーザは、モバイルＰＣ１６の状態を確認することができる。なお、設定用ＰＣ１２は、ステータス情報を、内蔵のディスプレイではなく、ＨＤＭＩ（登録商標）コネクタ等を用いて接続される外部ディスプレイの画面に表示してもよい。
【００１６】
また、モバイルＰＣ１６には、例えば、ディスプレイ端子にディスプレイが接続され、ＵＳＢ端子にキーボードやポインティングデバイスが接続され、ディスプレイ端子にディスプレイが接続され得る。ユーザは、接続されたキーボードやＩｏＴ機器を操作し、接続されたディスプレイの画面に、例えば、ステータス情報を表示させることができる。
【００１７】
しかし、無線ネットワークが利用できない状態又は環境においては、表示／設定用ＰＣ１２では、モバイルＰＣ１６のステータス情報を確認することができない。また、モバイルＰＣ１６内のデータを保護する等のセキュリティを目的として、モバイルＰＣ１６に設けられるＵＳＢ端子及びディスプレイ端子の利用が禁止されることがある。この場合、モバイルＰＣ１６に接続されたディスプレイ上で、当該モバイルＰＣ１６のステータスを確認することもできない。
【００１８】
ところで、マイク、ヘッドフォン、スピーカ等の接続に用いられる音声入出力端子は、セキュリティを目的として利用を禁止される可能性が低い。そのため、本実施形態では、モバイルＰＣ１６の音声入出力端子（例えば、ヘッドフォン／マイク端子２０８）と表示／設定用ＰＣ１２の音声入出力端子（例えば、ヘッドフォン／マイク端子５６）とを接続するオーディオケーブル５を介して、これらＰＣ１２，１６間で音データを相互に送受信する。これにより、表示／設定用ＰＣ１２において、モバイルＰＣ１６のステータスに関する制御を行うことができる。
【００１９】
以下では、上記各構成についてより具体的に説明する。
【００２０】
［表示／設定用ＰＣ１２］  
図２は、表示／設定用ＰＣ１２のシステム構成を示す。表示／設定用ＰＣ１２は、プロセッサを含むシステムコントローラ４２を備える。システムコントローラ４２には、主メモリ４４、ＢＩＯＳ−ＲＯＭ５０、ＨＤＤ又はＳＳＤからなるストレージデバイス５２、オーディオコーデック５４、グラフィックスコントローラ６２、タッチパネル７０、ＵＳＢコネクタ７２、無線ＬＡＮデバイス７４、ブルートゥースデバイス７６、有線ＬＡＮデバイス７８、ＰＣＩＥｘｐｒｅｓｓ（登録商標）カードコントローラ８０、メモリカードコントローラ８２、エンベデッドコントローラ／キーボードコントローラ（ＥＣ／ＫＢＣ）８４等が接続される。
【００２１】
システムコントローラ４２はストレージデバイス５２から主メモリ４４にロードされる様々なプログラムを実行する。これらプログラムは、オペレーティングシステム（ＯＳ）４６、音データを用いた制御のための音声制御プログラム４８を含む。システムコントローラ４２は、音声制御プログラム４８に含まれる命令群を実行することにより、表示／設定用ＰＣ１２内の各部の動作を制御する。
【００２２】
システムコントローラ４２は不揮発性メモリであるＢＩＯＳ−ＲＯＭ５０に格納された基本入出力システム（ＢＩＯＳ）も実行する。ＢＩＯＳはハードウェア制御のためのシステムプログラムである。
【００２３】
オーディオコーデック５４は、デジタルのオーディオ信号（音データ）をアナログのオーディオ信号に変換して、ヘッドフォン／マイク端子５６やスピーカ６０に供給（出力）する。また、オーディオコーデック５４は、ヘッドフォン／マイク端子５６を介して入力されるアナログのオーディオ信号をデジタルのオーディオ信号に変換する。ヘッドフォン／マイク端子５６は、オーディオジャックとも称し、マイク／スピーカ端子であってもよい。また、ヘッドフォン／マイク端子５６の代わりに、マイク端子とヘッドフォン端子（又はスピーカ端子）とが別々に設けられてもよい。
【００２４】
グラフィックスコントローラ６２は、表示／設定用ＰＣ１２のディスプレイモニタとして使用される液晶表示器（ＬＣＤ）６４を制御する。ＬＣＤ６４の画面上にタッチパネル７０が重ねられ、ＬＣＤ６４の画面にタッチペン等により手書き入力操作が行えるように構成されている。グラフィックスコントローラ６２にはＨＤＭＩ（登録商標）コントローラ６６も接続される。ＨＤＭＩコントローラ６６は外部の表示デバイスとの接続のためのＨＤＭＩコネクタ６８に接続される。
【００２５】
無線ＬＡＮデバイス７４は、ネットワークとの接続のためにＩＥＥＥ８０２．１１規格の無線ＬＡＮ通信を実行する。ブルートゥースデバイス７６は、外部機器との接続のためにブルートゥース規格の無線通信を実行する。有線ＬＡＮデバイス７８は、ネットワークとの接続のためにＩＥＥＥ８０２．３規格の有線ＬＡＮ通信を実行する。このように、表示／設定用ＰＣ１２とネットワークとの接続は無線通信によってもよいし、有線通信によってもよい。
【００２６】
ＰＣＩＥｘｐｒｅｓｓカードコントローラ８０は表示／設定用ＰＣ１２と外部機器との間でＰＣＩＥｘｐｒｅｓｓ規格の通信を行なう。メモリカードコントローラ８２は、記憶媒体、例えばＳＤカード（登録商標）等のメモリカードにデータを書き込み、メモリカードからデータを読み出す。
【００２７】
ＥＣ／ＫＢＣ８４は電力管理コントローラであり、キーボード８８を制御するキーボードコントローラも内蔵したワンチップマイクロコンピュータとして実現されている。ＥＣ／ＫＢＣ８４は、電源スイッチ８６の操作に応じて表示／設定用ＰＣ１２をパワーオン又はパワーオフする機能を有する。パワーオン及びパワーオフの制御は、ＥＣ／ＫＢＣ８４と電源回路９０との協働動作によって実行される。ＥＣ／ＫＢＣ８４は表示／設定用ＰＣ１２がパワーオフされている期間中も、バッテリ９２又はＡＣアダプタ９４からの電力によって動作する。電源回路９０は、バッテリ９２からの電力又は外部電源として接続されるＡＣアダプタ９４からの電力を用いて、各コンポーネントへ供給すべき電力を生成する。
【００２８】
［モバイルＰＣ１６］  
図３はモバイルＰＣ（モバイルエッジコンピューティングデバイス）１６の外観の一例を示す。モバイルＰＣ１６は片手で持てる小型ＰＣであり、そのサイズは、幅が約１０ｃｍ以下、高さが約１８ｃｍ以下、厚さが２ｃｍ程度であり、重量は約３００ｇ程度と、小型で軽量である。このため、モバイルＰＣ１６は作業着のポケット、ベルトに装着されるホルスタあるいはショルダーケースに収納でき、ウェアラブルである。モバイルＰＣ１６はＣＰＵや半導体メモリ等の半導体チップやＳＳＤ（Ｓｏｌｉｄ  Ｓｔａｔｅ  Ｄｉｓｋ）等のストレージデバイスを収納するが、ディスプレイと文字入力用のハードウェアキーボードは備えない。
【００２９】
モバイルＰＣ１６の正面にはアップボタン２０２ａ、ライトボタン２０２ｂ、ダウンボタン２０２ｃ、レフトボタン２０２ｄ、決定ボタン（センターボタン、エンターボタンとも称する）２０２ｅからなる５ボタン２０２が配置され、その下に指紋センサ２０４が配置される。文字入力用のハードウェアキーボードが備わっておらず暗証番号（ＰＩＮとも称する）を入力することができないので、指紋センサ２０４はモバイルＰＣ１６のログイン時のユーザ認証のために用いられる。５ボタン２０２はコマンドを入力できる。
【００３０】
なお、５ボタン２０２の各ボタン２０２ａ〜２０２ｄに数字を割り当て、５ボタン２０２を用いて暗証番号を入力することにより、ログイン時のユーザ認証を行ってもよい。この場合、指紋センサ２０４は省略可能である。決定ボタン２０２ｅ以外の４つのボタンに数字を割り当てるので、数字の種類は４つしかない。従って、ランダムに入力した数字が暗証番号に一致する可能性がある。しかし、暗証番号の桁数を大きくすれば、ランダムに入力した数字が暗証番号に一致する確率を小さくすることができる。指紋センサ２０４を備えるモバイルＰＣ１６でも５ボタン２０２による認証も可能としてもよい。１台のモバイルＰＣ１６を複数の作業者で共有することがあるが、指紋認証だけではこのような場合に対応できない。
【００３１】
５ボタン２０２の操作方法はアプリケーションによって決められている。  
【００３２】
例えば、  
決定ボタン２０２ｅが１回押されると、項目の選択／項目の実行がなされ、  
決定ボタン２０２ｅが長押しされると、終了又は操作の取り消しがなされ、  
アップボタン２０２ａが１回押されると、カーソルが上に移動され、  
アップボタン２０２ａが長押しされると、起動中のアプリケーションの一覧が表示され、  
ダウンボタン２０２ｃが１回押されると、カーソルが下に移動され、  
ダウンボタン２０２ｃが長押しされると、クイックセッティングメニュー（後述）が表示され、  
レフトボタン２０２ｄが１回押されると、右のアイコンが選択され、  
ライトボタン２０２ｂが１回押されると、左のアイコンが選択される。
【００３３】
モバイルＰＣ１６の上部側面には、ＵＳＢ３．０規格のコネクタ２０６とＵＳＢｔｙｐｅ−Ｃ規格のコネクタ２０７とヘッドフォン／マイク端子２０８が設けられる。
【００３４】
モバイルＰＣ１６の一方の側面（正面から見て左側の側面）には、メモリカード用のカードスロット２１８が設けられる。メモリカードは、例えばＳＤカード、マイクロＳＤカード（登録商標）等を含む。
【００３５】
モバイルＰＣ１６の他方の側面（正面から見て右側の側面）には、ケンジントンロック（登録商標）のためのスロット２１０、電源スイッチ２１２、パワーＬＥＤ２１３、ＤＣ  ＩＮ／バッテリＬＥＤ２１４、ＤＣ端子２１６、冷却用の通風口２２２が設けられる。パワーＬＥＤ２１３は電源スイッチ２１２の近傍に配置され、電源オンの期間点灯する。ＤＣ  ＩＮ／バッテリＬＥＤ２１４はバッテリが充電中であるか否か等のモバイルＰＣ１６の状態とバッテリの残量を表示する。モバイルＰＣ１６はバッテリで駆動可能であるが、ＤＣ端子２１６にＡＣアダプタを接続した状態でも駆動可能である。図示しないが、裏面はワンタッチでバッテリが交換可能に構成されている。
【００３６】
図４はモバイルＰＣ１６のシステム構成の例を示す。モバイルＰＣ１６はシステムコントローラ３０２を備え、システムコントローラ３０２はプロセッサ（ＣＰＵ）とコントローラ・ハブからなる。プロセッサには、主メモリ３０８、ＢＩＯＳ−ＲＯＭ３１０、パワーＬＥＤ２１３、ＤＣ  ＩＮ／バッテリＬＥＤ２１４、ＵＳＢコントローラ３２２が接続される。コントローラ・ハブには、フラッシュメモリ３２６、メモリカードコントローラ３２８、ＨＤＤ又はＳＳＤからなるストレージデバイス３３０、ＵＳＢ切替器３２４、オーディオコーデック３３４、３Ｇ／ＬＴＥ／ＧＰＳデバイス３３６、指紋センサ２０４、ＵＳＢ３．０コネクタ２０６、ブルートゥースデバイス／無線ＬＡＮデバイス３４０、ＥＣ／ＫＢＣ３４４が接続される。
【００３７】
システムコントローラ３０２はストレージデバイス３３０から主メモリ３０８にロードされる様々なプログラムを実行する。これらプログラムは、ＯＳ３１６、音データを用いた制御のための音声制御プログラム３１４を含む。システムコントローラ３０２は、音声制御プログラム３１４に含まれる命令群を実行することにより、モバイルＰＣ１６内の各部の動作を制御する。
【００３８】
オーディオコーデック３３４は、デジタルのオーディオ信号（音データ）をアナログのオーディオ信号に変換して、ヘッドフォン／マイク端子２０８（オーディオジャックとも称する）に供給する。また、オーディオコーデック３３４は、ヘッドフォン／マイク端子２０８から入力されるアナログのオーディオ信号をデジタルのオーディオ信号に変換する。ヘッドフォン／マイク端子５６は、スピーカ／マイク端子であってもよい。ヘッドフォン／マイク端子２０８に、オーディオケーブル５の一端に設けられるプラグが接続され、このオーディオケーブル５の他端に設けられるプラグが、表示／設定用ＰＣ１２のヘッドフォン／マイク端子５６に接続されている間、表示／設定用ＰＣ１２とモバイルＰＣ１６との間で音データを送受信することができる。
【００３９】
また、モバイルＰＣ１６と表示／設定用ＰＣ１２の各々では、ヘッドフォン／マイク端子２０８，５０６の代わりに、マイク端子とヘッドフォン端子（又はスピーカ端子）とが別々に設けられてもよい。その場合には、モバイルＰＣ１６のヘッドフォン端子と表示／設定用ＰＣ１２のマイク端子とが第１のオーディオケーブルで接続され、またモバイルＰＣ１６のマイク端子と表示／設定用ＰＣ１２のヘッドフォン端子とが第２のオーディオケーブルで接続される。これにより、第１のオーディオケーブルを介して、モバイルＰＣ１６から表示／設定用ＰＣ１２に音データを送信できると共に、第２のオーディオケーブルを介して、表示／設定用ＰＣ１２からモバイルＰＣ１６に音データを送信することができる。
【００４０】
さらに、一方の機器にヘッドフォン／マイク端子が設けられ、他方の機器にヘッドフォン端子とマイク端子とが設けられていてもよい。例えば、モバイルＰＣ１６にヘッドフォン／マイク端子２０８が設けられ、表示／設定用ＰＣ１２にヘッドフォン端子とマイク端子とが設けられている場合、ヘッドフォン／マイク端子用のプラグであるオーディオケーブル５の一端がモバイルＰＣ１６のヘッドフォン／マイク端子２０８に接続される。このオーディオケーブル５の他端は二つに分岐し、分岐した一方にはヘッドフォン端子用のプラグが設けられ、他方にはマイク端子用のプラグが設けられている。したがって、オーディオケーブル５の他端のヘッドフォン端子用のプラグが、表示／設定用ＰＣ１２のヘッドフォン端子に接続され、またマイク端子用のプラグが、表示／設定用ＰＣ１２のマイク端子に接続される。このようなオーディオケーブル５を介して、モバイルＰＣ１６から表示／設定用ＰＣ１２に音データを送信できると共に、表示／設定用ＰＣ１２からモバイルＰＣ１６に音データを送信することができる。
【００４１】
また、例えば、モバイルＰＣ１６にヘッドフォン端子とマイク端子とが設けられ、表示／設定用ＰＣ１２にヘッドフォン／マイク端子５６が設けられている場合、ヘッドフォン／マイク端子用のプラグであるオーディオケーブル５の一端が表示／設定用ＰＣ１２のヘッドフォン／マイク端子５６に接続される。このオーディオケーブル５の他端は二つに分岐し、分岐した一方にはヘッドフォン端子用のプラグが設けられ、他方にはマイク端子用のプラグが設けられている。したがって、オーディオケーブル５の他端のヘッドフォン端子用のプラグが、モバイルＰＣ１６のヘッドフォン端子に接続され、またマイク端子用のプラグが、モバイルＰＣ１６のマイク端子に接続される。このようなオーディオケーブル５を介して、モバイルＰＣ１６から表示／設定用ＰＣ１２に音データを送信できると共に、表示／設定用ＰＣ１２からモバイルＰＣ１６に音データを送信することができる。
【００４２】
メモリカードコントローラ３２８はメモリカードスロット２１８に挿入されるメモリカード、例えばＳＤカードにアクセスして、ＳＤカードに対するデータの読み書きを制御する。
【００４３】
ＵＳＢコントローラ３２２はＵＳＢｔｙｐｅ−Ｃコネクタ２０７に接続されるＵＳＢｔｙｐｅ−Ｃケーブル又はＵＳＢ３．０コネクタ２０６に接続されるＵＳＢ３．０ケーブル（図示せず）に対するデータの送受信を制御する。  
【００４４】
図示しないが、ＵＳＢｔｙｐｅ−Ｃコネクタ２０７にはポート拡張アダプタも接続可能であり、ＨＤＭＩ等のインターフェースが使用可能である。
【００４５】
ブルートゥースデバイス／無線ＬＡＮデバイス３４０は、外部機器又はネットワークとの接続のためにブルートゥース規格の無線通信又はＩＥＥＥ８０２．１１規格の無線ＬＡＮ通信を実行する。なお、ネットワークとの接続は無線通信によらず、ＩＥＥＥ８０２．３規格の有線ＬＡＮ通信によってもよい。  
【００４６】
指紋センサ２０４はモバイルＰＣ１６の起動時の指紋認証のために使用される。  
【００４７】
ＥＣ／ＫＢＣ３４４には、サブプロセッサ３４６、電源スイッチ２１２及び５ボタン２０２が接続される。ＥＣ／ＫＢＣ３４４は、電源スイッチ２１２の操作に応じてモバイルＰＣ１６をパワーオン又はパワーオフする機能を有する。パワーオン及びパワーオフの制御は、ＥＣ／ＫＢＣ３４４と電源回路３５０との協働動作によって実行される。ＥＣ／ＫＢＣ３４４はモバイルＰＣ１６がパワーオフされている期間中も、バッテリ３５２又はＡＣアダプタ３５８からの電力によって動作する。電源回路３５０は、バッテリ３５２からの電力又は外部電源として接続されるＡＣアダプタ３５８からの電力を用いて、各コンポーネントへ供給すべき電力を生成する。電源回路３５０は電圧レギュレータモジュール３５６を含み、電圧レギュレータモジュール３５６はシステムコントローラ３０２内のプロセッサに接続される。
【００４８】
［設定シーケンス］  
図５は、制御システム１において実行される設定シーケンスの例を示す。以下では、表示／設定用ＰＣ１２とモバイルＰＣ１６とがオーディオケーブル５を介して接続されていることを想定する。
【００４９】
まず、表示／設定用ＰＣ１２は、ユーザによるステータス取得操作Ａ１が行われたことに応じて、ステータス収集を指示する情報が符号化された音データを、電源オン状態であるモバイルＰＣ１６に送信する（Ｓ１１）。
【００５０】
次に、モバイルＰＣ１６は、表示／設定用ＰＣ１２によって送信された音データを受信し、当該音データを復号することにより得られたステータス収集を指示する情報に応じて、モバイルＰＣ１６のステータスを収集する（Ｓ１２）。モバイルＰＣ１６のステータスは、モバイルＰＣ１６内の各部の状態や設定を含み、例えば、無線ＬＡＮ、ブルートゥース、３Ｇ／ＬＴＥ等の各種ネットワークの接続状態（接続されているアクセスポイント等）、バッテリ３５２の状態、電源の供給状態、ファームウェアのバージョン情報等を含む。モバイルＰＣ１６は、収集されたステータスを示すステータス情報が符号化された音データを表示／設定用ＰＣ１２に送信する（Ｓ１３）。
【００５１】
表示／設定用ＰＣ１２は、モバイルＰＣ１６によって送信された音データを受信し、当該音データを復号することにより得られたステータス情報を画面に表示する（Ｓ１４）。これにより、ユーザは、モバイルＰＣ１６のステータスを確認し、設定の変更等を検討することができる。
【００５２】
そして、表示／設定用ＰＣ１２は、ユーザによって設定に関する設定操作Ａ２が行われたことに応じて、この設定操作Ａ２に対応する設定情報が符号化された音データをモバイルＰＣ１６に送信する（Ｓ１５）。設定操作Ａ２は、例えば、モバイルＰＣ１６の無線ＬＡＮ等の各種ネットワークの設定（例えば、アクセスポイントの変更）、スリープ状態に移行するまでの時間、パワーマネジメント設定等を変更する操作を含む。
【００５３】
モバイルＰＣ１６は、表示／設定用ＰＣ１２によって送信された音データを受信し、当該音データを復号することにより得られた設定情報に基づく設定をモバイルＰＣ１６に反映する（Ｓ１６）。設定反映後、モバイルＰＣ１６は、当該モバイルＰＣ１６のステータスを収集する（Ｓ１７）。そして、モバイルＰＣ１６は、収集されたステータスを示すステータス情報が符号化された音データを表示／設定用ＰＣ１２に送信する（Ｓ１８）。
【００５４】
表示／設定用ＰＣ１２は、モバイルＰＣ１６によって送信された音データを受信し、当該音データを復号することにより得られたステータス情報を画面に表示する（Ｓ１９）。これにより、ユーザは、モバイルＰＣ１６のステータスに、設定操作Ａ２に応じた設定が反映されたかどうかを確認することができる。
【００５５】
以上により、表示／設定用ＰＣ１２とモバイルＰＣ１６との間で相互に送受信される音データを用いて、表示／設定用ＰＣ１２において、モバイルＰＣ１６のステータスが確認され、モバイルＰＣ１６の設定に関する操作が行われ、当該設定をモバイルＰＣ１６に反映することができる。したがって、制御システム１では、音声入出力端子（例えば、ヘッドフォン／マイク端子５６，２０８）に取り付けられるオーディオケーブル５を介した表示／設定用ＰＣ１２とモバイルＰＣ１６との接続により、モバイルＰＣ１６のステータスに関する制御を行うことができる。
【００５６】
［表示／設定用ＰＣ１２の機能構成］  
図６は、表示／設定用ＰＣ１２の機能構成の例を示す。表示／設定用ＰＣ１２は、例えば、操作受付部５０１、符号化部５０２、送信制御部５０３、受信制御部５０４、復号部５０５、表示制御部５０６、及び記憶部５０７を備える。これら各部５０１，５０２，５０３，５０４，５０５，５０６，５０７は、表示／設定用ＰＣ１２のシステムコントローラ４２（プロセッサ）が、音声制御プログラム４８に含まれる命令群を実行し、表示／設定用ＰＣ１２のシステム構成として示した各部の動作を制御することにより実現される。表示／設定用ＰＣ１２のシステム構成については、図２を参照して上述した通りである。
【００５７】
操作受付部５０１は、ユーザが、各種の入力デバイスを用いて操作を行った場合に、その操作に応じた入力を受け付ける。ユーザは、キーボード８８やタッチパネル７０等の各種の入力デバイスを用いて、モバイルＰＣ１６のステータスを制御するための情報を入力する。より具体的には、ユーザは、モバイルＰＣ１６のステータスの収集を指示するための操作、モバイルＰＣ１６の設定に関する操作、等を入力し得る。操作受付部５０１は、受け付けた操作に対応する情報を符号化部５０２に出力する。
【００５８】
符号化部５０２は、特定の符号化／復号方式に基づいて、操作を示す情報が符号化された音データを生成する。この符号化／復号方式は、表示／設定用ＰＣ１２とモバイルＰＣ１６との間で予め決められた方式であり、情報を音データに符号化する方式と、音データを復号して情報を取得する方式とが規定されている。また、この符号化／復号方式は、情報を音データに変換（符号化）し、その音データを元の情報にさらに変換（復号）できるものであれば、どのような方式であってもよい。
【００５９】
この符号化／復号方式に基づく符号化／復号のための情報５０７Ａは、表示／設定用ＰＣ１２とモバイルＰＣ１６とで共有され、例えば、記憶部５０７に格納されている。記憶部５０７には、例えば、ストレージデバイス５２の記憶領域の一部が割り当てられている。符号化部５０２は、この符号化／復号情報５０７Ａを用いて、操作を示す情報が符号化された音データを生成する。
【００６０】
送信制御部５０３は、符号化部５０２によって生成された音データをヘッドフォン／マイク端子５６に出力することにより、オーディオケーブル５を介してモバイルＰＣ１６に当該音データを送信する。また、受信制御部５０４は、オーディオケーブル５を介してモバイルＰＣ１６によって送信された音データが、ヘッドフォン／マイク端子５６に入力された場合、当該音データを受信する。
【００６１】
なお、上述したように、表示／設定用ＰＣ１２では、マイク端子とヘッドフォン端子とが別々に設けられていてもよい。その場合には、送信制御部５０３は、音データをヘッドフォン端子に出力することにより、オーディオケーブル５を介して当該音データをモバイルＰＣ１６に送信する。また、受信制御部５０４は、オーディオケーブル５を介してモバイルＰＣ１６によって送信された音データが、マイク端子に入力された場合、当該音データを受信する。
【００６２】
復号部５０５は、上述の符号化／復号方式に基づいて、受信された音データを復号することにより、情報を取得する。復号部５０５は、例えば、記憶部５０７内の符号化／復号情報５０７Ａを用いて、音データを復号する。取得される情報は、例えば、モバイルＰＣ１６のステータス情報である。
【００６３】
表示制御部５０６は、復号により得られた情報をＬＣＤ６４の画面に表示する。例えば、復号により得られた情報がモバイルＰＣ１６のステータス情報である場合、表示制御部５０６は、そのステータス情報を画面に表示する。これにより、ユーザは、モバイルＰＣ１６のステータスを確認し、設定の変更等を検討することができる。
【００６４】
以上の構成により、音データを用いて、ステータス情報の収集の指示や設定の指示をモバイルＰＣ１６に要求することができる。
【００６５】
［モバイルＰＣ１６の機能構成］  
図７は、モバイルＰＣ１６の機能構成の例を示す。モバイルＰＣ１６は、例えば、受信制御部６０１、復号部６０２、設定制御部６０３、ステータス取得部６０４、符号化部６０５、送信制御部６０６、及び記憶部６０７を備える。これら各部６０１，６０２，６０３，６０４，６０５，６０６，６０７は、モバイルＰＣ１６のシステムコントローラ３０２（プロセッサ）が、音声制御プログラム３１４に含まれる命令群を実行し、モバイルＰＣ１６のシステム構成として示した各部の動作を制御することにより実現される。モバイルＰＣ１６のシステム構成については、図４を参照して上述した通りである。
【００６６】
受信制御部６０１は、オーディオケーブル５を介して表示／設定用ＰＣ１２によって送信された音データが、ヘッドフォン／マイク端子２０８に入力された場合、当該音データを受信する。
【００６７】
復号部６０２は、特定の符号化／復号方式に基づいて、受信された音データを復号することにより、情報を取得する。取得される情報は、例えば、ステータス収集の指示を示す情報、設定を示す情報、等である。符号化／復号方式については、図６を参照して上述した通りである。この符号化／復号方式に基づく符号化／復号のための情報６０７Ａは、例えば、記憶部６０７に格納されている。記憶部６０７には、例えば、ストレージデバイス３３０の記憶領域の一部が割り当てられている。
【００６８】
復号部６０２により取得された情報が、ステータス収集の指示を示す場合、ステータス取得部６０４は、モバイルＰＣ１６の状態を示すステータス情報を取得する。
【００６９】
また、復号部６０２により取得された情報が、設定を示す場合、設定制御部６０３は、その設定をモバイルＰＣ１６に反映する。設定制御部６０３は、例えば、取得された情報に示される設定に応じて、モバイルＰＣ１６内の各部の設定を変更する。なお、設定が反映された後、ステータス取得部６０４は、モバイルＰＣ１６の状態を示すステータス情報をさらに取得してもよい。
【００７０】
符号化部６０５は、上述の符号化／復号方式に基づいて、ステータス取得部６０４によって取得されたステータス情報が符号化された音データを生成する。符号化部６０５は、例えば、記憶部６０７内の符号化／復号情報６０７Ａを用いて、ステータス情報を符号化する。
【００７１】
送信制御部６０６は、符号化部６０５によって生成された音データをヘッドフォン／マイク端子２０８に出力することにより、オーディオケーブル５を介して表示／設定用ＰＣ１２に当該音データを送信する。
【００７２】
なお、上述したように、モバイルＰＣ１６では、マイク端子とヘッドフォン端子とが別々に設けられていてもよい。その場合には、受信制御部６０１は、オーディオケーブル５を介して表示／設定用ＰＣ１２によって送信された音データが、マイク端子に入力された場合、当該音データを受信する。また、送信制御部６０６は、音データをヘッドフォン端子に出力することにより、オーディオケーブル５を介して当該音データを表示／設定用ＰＣ１２に送信する。
【００７３】
以上の構成により、音データを用いた表示／設定用ＰＣ１２による要求に応じて、ステータス情報を送信することや、モバイルＰＣ１６の設定を変更することができる。
【００７４】
［表示／設定用ＰＣ１２による音声制御処理］  
図８のフローチャートを参照して、表示／設定用ＰＣ１２によって実行される音声制御処理の手順の例を説明する。
【００７５】
まず、表示／設定用ＰＣ１２は、モバイルＰＣ１６に関する操作を受け付けたか否かを判定する（ステップＳ２０１）。表示／設定用ＰＣ１２は、キーボード８８、タッチパネル７０等を用いて入力される、モバイルＰＣ１６に関する操作を受け付けることができる。表示／設定用ＰＣ１２は、モバイルＰＣ１６に関する操作を受け付けていない場合（ステップＳ２０１のＮＯ）、ステップＳ２０１に戻り、モバイルＰＣ１６に関する操作を受け付けたか否かが再度判定される。
【００７６】
モバイルＰＣ１６に関する操作を受け付けた場合（ステップＳ２０１のＹＥＳ）、表示／設定用ＰＣ１２は、受け付けた操作の種類を判別する（ステップＳ２０２）。受け付けた操作がステータス収集を指示する操作である場合（ステップＳ２０２のステータス収集指示）、表示／設定用ＰＣ１２は、ステータス収集の指示を示す情報が符号化された音データを生成する（ステップＳ２０３）。一方、受け付けた操作が設定を指示する操作である場合（ステップＳ２０２の設定）、表示／設定用ＰＣ１２は、設定を示す情報が符号化された音データを生成する（ステップＳ２０４）。
【００７７】
ステップＳ２０３又はステップＳ２０４の手順の後、表示／設定用ＰＣ１２は、生成された音データをヘッドフォン／マイク端子５６を介してモバイルＰＣ１６に送信する（ステップＳ２０５）。
【００７８】
次いで、表示／設定用ＰＣ１２は、ヘッドフォン／マイク端子５６を介してモバイルＰＣ１６から音データを受信したか否かを判定する（ステップＳ２０６）。モバイルＰＣ１６から音データを受信していない場合（ステップＳ２０６のＮＯ）、ステップＳ２０６に戻り、モバイルＰＣ１６から音データを受信したか否かが再度判定される。
【００７９】
一方、モバイルＰＣ１６から音データを受信した場合（ステップＳ２０６のＹＥＳ）、表示／設定用ＰＣ１２は、受信した音データを復号することにより情報を取得する（ステップＳ２０７）。そして、表示／設定用ＰＣ１２は、取得された情報がステータス情報であるか否かを判定する（ステップＳ２０８）。取得された情報がステータス情報である場合（ステップＳ２０８のＹＥＳ）、表示／設定用ＰＣ１２は、そのステータス情報を画面に表示し（ステップＳ２０９）、処理を終了する。
【００８０】
一方、取得された情報がステータス情報でない場合（ステップＳ２０８のＮＯ）、表示／設定用ＰＣ１２は、その情報に応じた処理を行い（ステップＳ２１０）、処理を終了する。
【００８１】
以上の処理により、表示／設定用ＰＣ１２は、音データを用いて、ステータス情報の収集の指示や設定の指示をモバイルＰＣ１６に要求することができる。また、表示／設定用ＰＣ１２は、音データを用いてステータス情報をモバイルＰＣ１６から受信し、当該ステータス情報を画面に表示することができる。
【００８２】
［モバイルＰＣ１６による音声制御処理］  
図９のフローチャートを参照して、モバイルＰＣ１６によって実行される音声制御処理の手順の例を説明する。
【００８３】
まず、モバイルＰＣ１６は、ヘッドフォン／マイク端子２０８を介して表示／設定用ＰＣ１２から音データを受信したか否かを判定する（ステップＳ３１）。表示／設定用ＰＣ１２から音データを受信していない場合（ステップＳ３１のＮＯ）、ステップＳ３１に戻り、表示／設定用ＰＣ１２から音データが受信されたか否かが再度判定される。
【００８４】
表示／設定用ＰＣ１２から音データを受信した場合（ステップＳ３１のＹＥＳ）、モバイルＰＣ１６は、音データを復号することにより情報を取得する（ステップＳ３２）。そして、モバイルＰＣ１６は、取得された情報の種類を判別する（ステップＳ３３）。取得された情報が、ステータス収集の指示を示す場合（ステップＳ３３のステータス収集指示）、モバイルＰＣ１６は、当該モバイルＰＣ１６のステータス情報を取得する（ステップＳ３４）。モバイルＰＣ１６は、取得されたステータス情報を符号化することにより、音データを生成する（ステップＳ３５）。そして、モバイルＰＣ１６は、生成された音データを、ヘッドフォン／マイク端子２０８を介して表示／設定用ＰＣ１２に送信し（ステップＳ３６）、処理を終了する。
【００８５】
一方、音データを復号することにより得られた情報が、設定を示す場合（ステップＳ３３の設定）、モバイルＰＣ１６は、当該情報に示される設定（設定情報）に基づいて、モバイルＰＣ１６内の各部の設定を変更し（ステップＳ３７）、処理を終了する。
【００８６】
以上の処理により、モバイルＰＣ１６は、音データを用いた表示／設定用ＰＣ１２による要求に応じて、表示／設定用ＰＣ１２へのステータス情報の送信や、モバイルＰＣ１６の設定の変更を行うことができる。
【００８７】
なお、モバイルＰＣ１６は、ヘッドフォン／マイク端子２０８に接続されたスピーカ（図示せず）から、ステータス情報が符号化された音データに基づく音声を出力してもよい。その場合、表示／設定用ＰＣ１２は、ヘッドフォン／マイク端子５６に接続されたマイク（図示せず）を用いて、その出力された音声を録音する。表示／設定用ＰＣ１２は、例えば、録音により生成された音データを再生（復号）して得られたモバイルＰＣ１６のステータス情報を画面に表示することができる。
【００８８】
また、表示／設定用ＰＣ１２は、ヘッドフォン／マイク端子５６に接続されたスピーカ（図示せず）から、ステータス収集指示や設定が符号化された音データに基づく音声を出力してもよい。その場合、モバイルＰＣ１６は、ヘッドフォン／マイク端子２０８に接続されたマイク（図示せず）を用いて、その出力された音声を録音する。モバイルＰＣ１６は、例えば、録音により生成された音データを再生（復号）して得られた表示／設定用ＰＣ１２による要求に応じて、ステータス情報が符号化された音データの出力（送信）や、モバイルＰＣ１６の設定の変更を行うことができる。
【００８９】
以上により、表示／設定用ＰＣ１２から、無線ＬＡＮやブルートゥース等のネットワークを介してモバイルＰＣ１６にアクセスできず、またモバイルＰＣ１６のＵＳＢ端子及びディスプレイ端子の利用が禁止され、モバイルＰＣ１６に接続されたディスプレイ上で、当該モバイルＰＣ１６のステータスを確認することができないような場合にも、オーディオケーブル５を介した音データの送受信により、表示／設定用ＰＣ１２からモバイルＰＣ１６のステータスに関する制御を行うことができる。
【００９０】
（第２実施形態）
第１実施形態では、表示／設定用ＰＣ１２とモバイルＰＣ１６との間で、要求や情報が符号化された音データが送受信される。これに対して、第２実施形態では、表示／設定用ＰＣ１２とモバイルＰＣ１６との間でワンタイムパスワードを生成するための秘密鍵が共有され、要求や情報とワンタイムパスワードとが符号化された音データが表示／設定用ＰＣ１２とモバイルＰＣ１６との間で送受信される。
【００９１】
第２実施形態に係る制御システムに設けられるモバイルＰＣ１６及び表示／設定用ＰＣ１２の構成は、第１実施形態のモバイルＰＣ１６及び表示／設定用ＰＣ１２の構成とそれぞれ同様であり、第２実施形態と第１実施形態とでは、符号化部５０２及び復号部５０５に相当する処理の手順と、モバイルＰＣ１６の復号部６０２及び符号化部６０５に相当する処理の手順のみが異なる。以下、第１実施形態と異なる点のみを説明する。
【００９２】
［設定シーケンス］  
図１０は、制御システム１において実行される設定シーケンスの例を示す。この設定シーケンスでは、表示／設定用ＰＣ１２とモバイルＰＣ１６との間で送受信される音データのセキュリティが保護される。
【００９３】
まず、モバイルＰＣ１６は、ワンタイムパスワードを生成するための秘密鍵を生成する（Ｓ４０１）。秘密鍵は、例えば、管理者による事前の操作に応じて、一度だけ生成される。秘密鍵を用いて生成されるワンタイムパスワードは、例えば、ＨＭＡＣ−ｂａｓｅｄ  Ｏｎｅ−Ｔｉｍｅ  Ｐａｓｓｗｏｒｄ（ＨＯＴＰ）、Ｔｉｍｅ−ｂａｓｅｄ  Ｏｎｅ−Ｔｉｍｅ  Ｐａｓｓｗｏｒｄ（ＴＯＴＰ）、等である。モバイルＰＣ１６は、生成された秘密鍵をモバイルＰＣ１６内のストレージデバイス３３０（記憶部６０７）に保存する。
【００９４】
次に、モバイルＰＣ１６は、表示／設定用ＰＣ１２との間で、オフラインで秘密鍵を共有する（Ｓ４０２）。モバイルＰＣ１６は、例えば、秘密鍵が符号化されたバーコードを、当該モバイルＰＣ１６に接続されたディスプレイの画面に表示し、表示されたバーコードを設定用ＰＣ１２に読み取らせることにより、設定用ＰＣ１２内のストレージデバイス５２（記憶部５０７）に保存させる。このディスプレイは、例えば、ＨＤＭＩ端子のようなディスプレイ端子（図示せず）を介してモバイルＰＣ１６に接続されたディスプレイである。
【００９５】
或いは、モバイルＰＣ１６は、秘密鍵のデータをＵＳＢフラッシュメモリのような可搬性の記憶媒体に格納し、この記憶媒体を表示／設定用ＰＣ１２のＵＳＢコネクタ７２等に接続して、記憶媒体内の秘密鍵のデータを表示／設定用ＰＣ１２内のストレージデバイス５２に保存させる。これにより、モバイルＰＣ１６と表示／設定用ＰＣ１２とで秘密鍵が共有される。
【００９６】
なお、表示／設定用ＰＣ１２が秘密鍵を生成してもよい。その場合にも、上記の方法と同様にして、表示／設定用ＰＣ１２は、モバイルＰＣ１６との間で、オフラインで秘密鍵を共有することができる。
【００９７】
秘密鍵が共有された状態において、表示／設定用ＰＣ１２は、ユーザによるステータス取得操作Ａ５が行われたことに応じて、当該表示／設定用ＰＣ１２内に保存された秘密鍵を用いて第１ワンタイムパスワードを生成する（Ｓ４０３）。そして、表示／設定用ＰＣ１２は、第１ワンタイムパスワードとステータス収集を指示する情報とが符号化された音データを、モバイルＰＣ１６に送信する（Ｓ４０４）。
【００９８】
モバイルＰＣ１６は、表示／設定用ＰＣ１２によって送信された音データを受信したことに応じて、当該モバイルＰＣ１６内に保存された秘密鍵を用いて、第２ワンタイムパスワードを生成する（Ｓ４０５）。そして、モバイルＰＣ１６は、受信した音データを復号することにより得られた第１ワンタイムパスワードと、生成された第２ワンタイムパスワードとが一致したならば、受信した音データを復号することにより得られたステータス収集を指示する情報に応じて、モバイルＰＣ１６のステータスを収集する（Ｓ４０６）。モバイルＰＣ１６のステータスは、モバイルＰＣ１６内の各部の状態や設定を含み、例えば、無線ＬＡＮ、ブルートゥース、３Ｇ／ＬＴＥ等の各種ネットワークの接続状態（接続されているアクセスポイント等）、バッテリ３５２の状態、電源の供給状態、ファームウェアのバージョン情報等を含む。モバイルＰＣ１６は、収集されたステータスを示すステータス情報が符号化された音データを表示／設定用ＰＣ１２に送信する（Ｓ４０７）。
【００９９】
表示／設定用ＰＣ１２は、モバイルＰＣ１６によって送信された音データを受信し、当該音データを復号することにより得られたステータス情報を画面に表示する（Ｓ４０８）。これにより、ユーザは、モバイルＰＣ１６のステータスを確認し、設定の変更等を検討することができる。
【０１００】
そして、表示／設定用ＰＣ１２は、ユーザによる設定に関する設定操作Ａ６が行われたことに応じて、秘密鍵を用いて、第３ワンタイムパスワードを生成する（Ｓ４０９）。そして、表示／設定用ＰＣ１２は、第３ワンタイムパスワードと、設定操作Ａ６に対応する設定情報とが符号化された音データをモバイルＰＣ１６に送信する（Ｓ４１０）。設定操作Ａ６は、例えば、モバイルＰＣ１６の無線ＬＡＮ等の各種ネットワークの設定（例えば、アクセスポイントの変更）、スリープ状態に移行するまでの時間、パワーマネジメント設定等を変更する操作を含む。
【０１０１】
モバイルＰＣ１６は、表示／設定用ＰＣ１２によって送信された音データを受信したことに応じて、秘密鍵を用いて第４ワンタイムパスワードを生成する（Ｓ４１１）。そして、モバイルＰＣ１６は、受信した音データを復号することにより得られた第３ワンタイムパスワードと、生成された第４ワンタイムパスワードとが一致したならば、音データを復号することにより得られた設定情報に基づく設定をモバイルＰＣ１６に反映し、その後、モバイルＰＣ１６のステータスを収集する（Ｓ４１２）。そして、モバイルＰＣ１６は、収集されたステータスを示すステータス情報が符号化された音データを表示／設定用ＰＣ１２に送信する（Ｓ４１３）。
【０１０２】
表示／設定用ＰＣ１２は、モバイルＰＣ１６によって送信された音データを受信し、当該音データを復号することにより得られたステータス情報を画面に表示する（Ｓ４１４）。これにより、ユーザは、モバイルＰＣ１６のステータスに、設定操作Ａ６に応じた設定が反映されたかどうかを確認することができる。
【０１０３】
以上により、表示／設定用ＰＣ１２とモバイルＰＣ１６との間で相互に送受信される音データを用いて、表示／設定用ＰＣ１２において、モバイルＰＣ１６のステータスを確認し、モバイルＰＣ１６の設定に関する操作を行い、当該設定をモバイルＰＣ１６に反映することができる。したがって、制御システム１では、音声入出力端子（例えば、ヘッドフォン／マイク端子５６，２０８）に取り付けられるオーディオケーブル５を介した表示／設定用ＰＣ１２とモバイルＰＣ１６との接続により、モバイルＰＣ１６のステータスに関する制御を行うことができる。
【０１０４】
さらに、表示／設定用ＰＣ１２とモバイルＰＣ１６との間で共有される秘密鍵に基づくワンタイムパスワードも音データに含めることにより、秘密鍵を有する表示／設定用ＰＣ１２によって生成された音データでのみ、モバイルＰＣ１６が制御されるように構成される。したがって、第三者による意図しない音データ（例えば、他のＰＣによって出力される音データ、等）によってモバイルＰＣ１６が制御されることを防止することができる。
【０１０５】
なお、上述した例では、表示／設定用ＰＣ１２からモバイルＰＣ１６に送信される音データにワンタイムパスワードと情報とが符号化され、モバイルＰＣ１６から表示／設定用ＰＣ１２に送信される音データには情報のみが符号化され、ワンタイムパスワードが符号化されていない。しかし、モバイルＰＣ１６から表示／設定用ＰＣ１２に送信される音データにも、ワンタイムパスワードと情報とが符号化されるようにしてもよい。その場合、例えば、モバイルＰＣ１６から音データを受信したことに応じて、表示／設定用ＰＣ１２は、ワンタイムパスワードを生成し、音データを復号することにより得られたワンタイムパスワードと、生成したワンタイムパスワードとが一致したならば、音データを復号することにより得られたステータス情報を表示するように構成できる。したがって、秘密鍵を有するモバイルＰＣ１６によって生成された音データが受信された場合にのみ、表示／設定用ＰＣ１２の画面に、当該モバイルＰＣ１６のステータス情報を表示させることができる。
【０１０６】
［表示／設定用ＰＣ１２の機能構成］  
操作受付部５０１、送信制御部５０３、受信制御部５０４、復号部５０５、表示制御部５０６の各機能は、図６を参照して上述した通りである。記憶部５０７には、モバイルＰＣ１６と共有される秘密鍵５０７Ｂがさらに格納されている。
【０１０７】
符号化部５０２は、秘密鍵５０７Ｂを用いてワンタイムパスワードを生成する。そして、符号化部５０２は、操作受付部５０１によって受け付けられた操作を示す情報と、ワンタイムパスワードとが符号化された音データを生成する。生成された音データは、送信制御部５０３によりモバイルＰＣ１６に送信される。
【０１０８】
なお、モバイルＰＣ１６から表示／設定用ＰＣ１２に送信される音データにも、ワンタイムパスワードと情報とが符号化されている場合、復号部５０５は、受信制御部５０４によって音データが受信されたことに応じて、秘密鍵５０７Ｂを用いてワンタイムパスワードを生成する。復号部５０５は、受信した音データを復号することにより得られたワンタイムパスワードと、生成されたワンタイムパスワードとが一致したならば、表示制御部５０６に、音データを復号することにより得られたステータス情報を画面に表示することを要求する。
【０１０９】
［モバイルＰＣ１６の機能構成］  
受信制御部６０１、設定制御部６０３、ステータス取得部６０４、符号化部６０５、及び送信制御部６０６の各機能は、図７を参照して上述した通りである。記憶部６０７には、表示／設定用ＰＣ１２と共有される秘密鍵５０７Ｂが格納されている。
【０１１０】
復号部６０２は、受信制御部６０１によって音データが受信されたことに応じて、記憶部６０７に格納された秘密鍵５０７Ｂを用いて、ワンタイムパスワードを生成する。復号部６０２は、受信した音データを復号することにより得られたワンタイムパスワードと、生成されたワンタイムパスワードとが一致したならば、設定制御部６０３又はステータス取得部６０４に、音データを復号することにより得られた情報に応じた処理を要求する。すなわち、情報がステータス収集を指示する情報であるならば、ステータス取得部６０４にステータスの収集を要求し、また情報が設定情報であるならば、設定制御部６０３に設定情報に基づく設定を要求する。
【０１１１】
なお、モバイルＰＣ１６から表示／設定用ＰＣ１２に送信される音データにも、ワンタイムパスワードと情報とが符号化される場合、符号化部６０５は、ステータス取得部６０４によってステータス情報が取得されたことに応じて、記憶部６０７に格納された秘密鍵５０７Ｂを用いてワンタイムパスワードを生成する。そして、符号化部６０５は、生成されたワンタイムパスワードとステータス情報とが符号化された音データを生成する。生成された音データは、送信制御部６０６により表示／設定用ＰＣ１２に送信される。
【０１１２】
［表示／設定用ＰＣ１２による音声制御処理］  
図１１のフローチャートを参照して、表示／設定用ＰＣ１２によって実行される音声制御処理の手順の例を説明する。
【０１１３】
まず、表示／設定用ＰＣ１２は、モバイルＰＣ１６に対する操作を受け付けたか否かを判定する（ステップＳ５０１）。表示／設定用ＰＣ１２は、キーボード８８、タッチパネル７０等を用いて入力される、モバイルＰＣ１６に関する操作を受け付けることができる。表示／設定用ＰＣ１２は、モバイルＰＣ１６に関する操作を受け付けていない場合（ステップＳ５０１のＮＯ）、ステップＳ５０１に戻り、モバイルＰＣ１６に関する操作を受け付けたか否かが再度判定される。
【０１１４】
モバイルＰＣ１６に関する操作を受け付けた場合（ステップＳ５０１のＹＥＳ）、表示／設定用ＰＣ１２は、モバイルＰＣ１６との間で共有される秘密鍵５０７Ｂを用いて、第１ワンタイムパスワードを生成する（ステップＳ５０２）。そして、表示／設定用ＰＣ１２は、受け付けた操作の種類を判別する（ステップＳ５０３）。受け付けた操作がステータス収集を指示する操作である場合（ステップＳ５０３のステータス収集指示）、表示／設定用ＰＣ１２は、第１ワンタイムパスワードとステータス収集の指示を示す情報とが符号化された音データを生成する（ステップＳ５０４）。一方、受け付けた操作が設定を指示する操作である場合（ステップＳ５０３の設定）、表示／設定用ＰＣ１２は、第１ワンタイムパスワードと設定を示す情報とが符号化された音データを生成する（ステップＳ５０）。
【０１１５】
ステップ５０４又はステップＳ５０５の手順の後、表示／設定用ＰＣ１２は、生成された音データをヘッドフォン／マイク端子５６を介してモバイルＰＣ１６に送信する（ステップＳ５０６）。
【０１１６】
次いで、表示／設定用ＰＣ１２は、ヘッドフォン／マイク端子５６を介してモバイルＰＣ１６から音データを受信したか否かを判定する（ステップＳ５０７）。モバイルＰＣ１６から音データを受信していない場合（ステップＳ５０７のＮＯ）、ステップＳ５０７に戻り、モバイルＰＣ１６から音データを受信したか否かが再度判定される。
【０１１７】
一方、モバイルＰＣ１６から音データを受信した場合（ステップＳ５０７のＹＥＳ）、表示／設定用ＰＣ１２は、受信した音データを復号することにより情報を取得する（ステップＳ５０８）。そして、表示／設定用ＰＣ１２は、取得された情報がステータス情報であるか否かを判定する（ステップＳ５０９）。取得された情報がステータス情報である場合（ステップＳ５０９のＹＥＳ）、表示／設定用ＰＣ１２は、そのステータス情報を画面に表示し（ステップＳ５１０）、処理を終了する。
【０１１８】
一方、取得された情報がステータス情報でない場合（ステップＳ５０９のＮＯ）、表示／設定用ＰＣ１２は、その情報に応じた処理を行い（ステップＳ５１１）、処理を終了する。
【０１１９】
以上の処理により、表示／設定用ＰＣ１２は、ワンタイムパスワードが符号化された音データを用いて、ステータス情報の収集の指示や設定の指示をモバイルＰＣ１６に要求することができる。また、表示／設定用ＰＣ１２は、音データを用いてステータス情報をモバイルＰＣ１６から受信し、当該ステータス情報を画面に表示することができる。
【０１２０】
［モバイルＰＣ１６による音声制御処理］  
図１２のフローチャートを参照して、モバイルＰＣ１６によって実行される音声制御処理の手順の例を説明する。
【０１２１】
まず、モバイルＰＣ１６は、ヘッドフォン／マイク端子２０８を介して表示／設定用ＰＣ１２から音データを受信したか否かを判定する（ステップＳ６０１）。表示／設定用ＰＣ１２から音データを受信していない場合（ステップＳ６０１のＮＯ）、ステップＳ６０１に戻り、表示／設定用ＰＣ１２から音データが受信されたか否かが再度判定される。
【０１２２】
表示／設定用ＰＣ１２から音データを受信した場合（ステップＳ６０１のＹＥＳ）、モバイルＰＣ１６は、秘密鍵５０７Ｂを用いて第２ワンタイムパスワードを生成する（ステップＳ６０２）。また、モバイルＰＣ１６は、受信した音データを復号することにより第１ワンタイムパスワードと情報とを取得する（ステップＳ６０３）。
【０１２３】
そして、モバイルＰＣ１６は、第１ワンタイムパスワードと第２ワンタイムパスワードとが一致するか否かを判定する（ステップＳ６０４）。第１ワンタイムパスワードが、モバイルＰＣ１６と表示／設定用ＰＣ１２との間で共有される秘密鍵５０７Ｂを用いて生成されている場合、第１ワンタイムパスワードと第２ワンタイムパスワードとは一致する。
【０１２４】
第１ワンタイムパスワードと第２ワンタイムパスワードとが一致しない場合（ステップＳ６０４のＮＯ）、モバイルＰＣ１６は、受信した音データが意図しないデータであると判断し、処理を終了する。
【０１２５】
一方、第１ワンタイムパスワードと第２ワンタイムパスワードとが一致した場合（ステップＳ６０４のＹＥＳ）、モバイルＰＣ１６は、取得された情報の種類を判別する（ステップＳ６０５）。取得された情報が、ステータス収集の指示を示す場合（ステップＳ６０５のステータス収集指示）、モバイルＰＣ１６は、当該モバイルＰＣ１６のステータス情報を取得する（ステップＳ６０６）。モバイルＰＣ１６は、取得されたステータス情報を符号化することにより、音データを生成する（ステップＳ６０７）。そして、モバイルＰＣ１６は、生成された音データを、ヘッドフォン／マイク端子２０８を介して表示／設定用ＰＣ１２に送信し（ステップＳ６０８）、処理を終了する。
【０１２６】
一方、音データを復号することにより得られた情報が、設定を示す場合（ステップＳ６０５の設定）、モバイルＰＣ１６は、当該情報に示される設定（設定情報）に基づいて、モバイルＰＣ１６内の各部の設定を変更し（ステップＳ６０９）、処理を終了する。
【０１２７】
以上の処理により、モバイルＰＣ１６は、表示／設定用ＰＣ１２から受信した音データに含まれる第１ワンタイムパスワードと、モバイルＰＣ１６で生成される第２ワンタイムパスワードとが一致した場合、意図された処理であるとして、当該音データを用いた表示／設定用ＰＣ１２による要求に応じて、表示／設定用ＰＣ１２へのステータス情報の送信や、モバイルＰＣ１６の設定の変更を行うことができる。
【０１２８】
（第３実施形態）  
第１及び第２実施形態では、表示／設定用ＰＣ１２とモバイルＰＣ１６とがオーディオケーブル５によって直接的に接続される。これに対して、第３実施形態では、モバイルＰＣ１６は第１オーディオケーブルを介して第１電話機と接続され、表示／設定用ＰＣ１２は第２オーディオケーブルを介して第２電話機と接続され、第１電話機と第２電話機とが電話回線網を介して相互に接続される。
【０１２９】
第３実施形態に係る制御システムに設けられるモバイルＰＣ１６及び表示／設定用ＰＣ１２の構成は、第１及び第２実施形態のモバイルＰＣ１６及び表示／設定用ＰＣ１２の構成とそれぞれ同様であり、第３実施形態と第１及び第２実施形態とでは、制御システム１に第１電話機と第２電話機とがさらに設けられ、モバイルＰＣ１６のヘッドフォン／マイク端子２０８に接続される第１オーディオケーブルの他端が、表示／設定用ＰＣ１２ではなく第１電話機に接続され、また表示／設定用ＰＣ１２のヘッドフォン／マイク端子５６に接続される第２オーディオケーブルの他端が、モバイルＰＣ１６ではなく第２電話機に接続されることのみが異なる。以下、第１及び第２実施形態と異なる点のみを説明する。
【０１３０】
図１３に示すように、制御システム１は、モバイルＰＣ１６と表示／設定用ＰＣ１２と二つの電話機７Ａ，７Ｂとを備える。各電話機７Ａ，７Ｂにはヘッドフォン／マイク端子７０１Ａ，７０１Ｂが設けられている。なお、各電話機７Ａ，７Ｂには、ヘッドフォン端子とマイク端子とが別々に設けられていてもよい。電話機７Ａと電話機７Ｂとは電話回線網８で相互に接続されている。
【０１３１】
モバイルＰＣ１６のヘッドフォン／マイク端子２０８と電話機７Ａのヘッドフォン／マイク端子７０１Ａとは、第１オーディオケーブル５Ａを介して接続される。つまり、第１オーディオケーブル５Ａの一端に設けられるプラグがモバイルＰＣ１６のヘッドフォン／マイク端子２０８に接続され、第１オーディオケーブル５Ａの他端に設けられるプラグが電話機７Ａのヘッドフォン／マイク端子７０１Ａに接続される。
【０１３２】
また、表示／設定用ＰＣ１２のヘッドフォン／マイク端子５６と電話機７Ｂのヘッドフォン／マイク端子７０１Ｂとは、第２オーディオケーブル５Ｂを介して接続される。つまり、第２オーディオケーブル５Ｂの一端に設けられるプラグが表示／設定用ＰＣ１２のヘッドフォン／マイク端子５６に接続され、第２オーディオケーブル５Ｂの他端に設けられるプラグが電話機７Ｂのヘッドフォン／マイク端子７０１Ｂに接続される。
【０１３３】
このような接続により、モバイルＰＣ１６は、第１オーディオケーブル５Ａと電話回線網８と第２オーディオケーブル５Ｂを介して、表示／設定用ＰＣ１２に音データを送信する。表示／設定用ＰＣ１２は、第１オーディオケーブル５Ａと電話回線網８と第２オーディオケーブル５Ｂを介して、モバイルＰＣ１６から音データを受信する。
【０１３４】
また、表示／設定用ＰＣ１２は、第２オーディオケーブル５Ｂと電話回線網８と第１オーディオケーブル５Ａを介して、モバイルＰＣ１６に音データを送信する。モバイルＰＣ１６は、第２オーディオケーブル５Ｂと電話回線網８と第１オーディオケーブル５Ａを介して、表示／設定用ＰＣ１２から音データを受信する。
【０１３５】
これにより、モバイルＰＣ１６を電話機７Ａに接続し、表示／設定用ＰＣ１２を電話機７Ｂに接続することにより、モバイルＰＣ１６と表示／設定用ＰＣ１２とが、例えば、一つのオーディオケーブルで接続することが難しい遠隔地にある場合にも、電話回線網８を介して音データを送受信することができる。したがって、送受信される音データを用いて、表示／設定用ＰＣ１２からモバイルＰＣ１６のステータスに関する制御を行うことができる。
【０１３６】
以上説明したように、第１乃至第３実施形態によれば、オーディオケーブルを用いた電子機器間の接続により、ステータスに関する制御を行うことができる。モバイルＰＣ１６は、当該モバイルＰＣ１６の状態を示すステータス情報が符号化された第１音データを生成し、オーディオケーブル５を介して、第１音データを表示／設定用ＰＣ１２に送信する。表示／設定用ＰＣ１２は、オーディオケーブル５を介して、モバイルＰＣ１６から第１音データを受信し、第１音データを復号することにより、ステータス情報を取得し、ステータス情報を画面に表示する。
【０１３７】
また、表示／設定用ＰＣ１２は、モバイルＰＣ１６に設定される設定情報が符号化された音データを生成し、オーディオケーブル５を介してこの音データをモバイルＰＣ１６に送信する。モバイルＰＣ１６は、オーディオケーブル５を介して、表示／設定用ＰＣ１２から音データを受信し、この音データを復号することにより、設定情報を取得し、当該設定情報を用いてモバイルＰＣ１６の設定を変更する。
【０１３８】
このように、オーディオケーブル５を用いた機器間の接続を介して音データを送受信することにより、モバイルＰＣ１６のステータス情報を表示／設定用ＰＣ１２の画面に表示し、また表示／設定用ＰＣ１２によって送信される設定情報に基づき、モバイルＰＣ１６の設定を変更することができる。したがって、ネットワークが利用できない状態又は環境や、ＵＳＢ端子及びディスプレイ端子の使用が禁止されている状態であっても、表示／設定用ＰＣ１２から、モバイルＰＣ１６の各種ステータスの読み取りや設定を行うことができる。
【０１３９】
また、いくつかの実施形態に記載された様々な機能の各々は、回路（処理回路）によって実現されてもよい。処理回路の例には、中央処理装置（ＣＰＵ）のような、プログラムされたプロセッサが含まれる。このプロセッサは、メモリに格納されたコンピュータプログラム（命令群）を実行することによって、記載された機能それぞれを実行する。このプロセッサは、電気回路を含むマイクロプロセッサであってもよい。処理回路の例には、デジタル信号プロセッサ（ＤＳＰ）、特定用途向け集積回路（ＡＳＩＣ）、マイクロコントローラ、コントローラ、他の電気回路部品も含まれる。これら実施形態に記載されたＣＰＵ以外の他のコンポーネントの各々もまた処理回路によって実現されてもよい。
【０１４０】
また、いくつかの実施形態の各種処理はコンピュータプログラムによって実現することができるので、このコンピュータプログラムを格納したコンピュータ読み取り可能な記憶媒体を通じてこのコンピュータプログラムをコンピュータにインストールして実行するだけで、これら実施形態と同様の効果を容易に実現することができる。
【０１４１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１４２】
１…制御システム、１２…表示／設定用ＰＣ、１６…モバイルＰＣ、５…ケーブル、４２…システムコントローラ、４４…主メモリ、４８…音声制御プログラム、５２…ストレージデバイス、５６…ヘッドフォン／マイク端子、６４…ＬＣＤ、２０８…ヘッドフォン／マイク端子、３０２…システムコントローラ、３０８…主メモリ、３１４…音声制御プログラム、３３０…ストレージデバイス、５０１…操作受付部、５０２…符号化部、５０３…送信制御部、５０４…受信制御部、５０５…復号部、５０６…表示制御部、５０７…記憶部、５０７Ａ…符号化／復号情報、５０７Ｂ…秘密鍵、６０１…受信制御部、６０２…復号部、６０３…設定制御部、６０４…ステータス取得部、６０５…符号化部、６０６…送信制御部、６０７…記憶部、６０７Ａ…符号化／復号情報。
【図１】
2019133384.tif 000003
【図２】
2019133384.tif 000004
【図３】
2019133384.tif 000005
【図４】
2019133384.tif 000006
【図５】
2019133384.tif 000007
【図６】
2019133384.tif 000008
【図７】
2019133384.tif 000009
【図８】
2019133384.tif 000010
【図９】
2019133384.tif 000011
【図１０】
2019133384.tif 000012
【図１１】
2019133384.tif 000013
【図１２】
2019133384.tif 000014
【図１３】
2019133384.tif 000015